【手続補正書】
【提出日】平成17年8月24日(2005.8.24)
【手続補正１】
【補正対象書類名】特許請求の範囲
【補正対象項目名】全文
【補正方法】変更
【補正の内容】
【特許請求の範囲】
【請求項１】
製品をカスタマイズする方法であって、
一又はそれ以上のカスタマイズ可能な製品クラスのセットを準備し、
一又はそれ以上のカスタマイズ可能な製品クラスの前記セットからカスタマイズ可能な製品をカスタマイズ可能な製品インスタンスとして指定する要求を受け取り、
一又はそれ以上のカスタマイズ可能な製品クラスの前記セットからカスタマイズ可能な製品を前記カスタマイズ可能な製品インスタンスとして指定し、
前記カスタマイズ可能な製品インスタンスに関連する、一又はそれ以上のコンポーネント製品のセットを準備し、
一又はそれ以上のコンポーネント製品の前記セットから第一のコンポーネント製品を前記カスタマイズ可能な製品インスタンスに対応付ける要求を受け取り、
一又はそれ以上のコンポーネント製品の前記セットからの前記第一のコンポーネント製品を前記カスタマイズ可能な製品インスタンスに対応付けるか否かを定める、
ステップを含むことを特徴とする方法。
【請求項２】
一又はそれ以上のコンポーネント製品の前記セットからの第一のコンポーネント製品を前記カスタマイズ可能な製品インスタンスに対応付けるか否かを定めるステップと、
前記第一のコンポーネント製品を前記カスタマイズ可能な製品インスタンスに対応付けるステップと、
をさらに含む請求項1記載の方法。
【請求項３】
前記第一のコンポーネント製品を対応付けるときに、第二のコンポーネント製品を前記カスタマイズ可能な製品インスタンスに対応付けるか否かを定めるステップと、
前記第二のコンポーネント製品を前記カスタマイズ可能な製品インスタンスに対応付けるステップと、
をさらに含む請求項2記載の方法。
【請求項４】
一又はそれ以上のコンポーネント製品のセットを準備する前記ステップが、各コンポーネント製品にユーザーインターフェースを提供することを含む、
請求項1記載の方法。
【請求項５】
前記ユーザーインターフェースが、テーマユーザーインターフェース(UI)、制御ユーザーインターフェース(UI)、及びグループユーザーインターフェース(UI)を含む、
請求項4記載の方法。
【請求項６】
一又はそれ以上のコンポーネント製品の前記セットからの二又はそれ以上のコンポーネント製品が、前記カスタマイズ可能な製品インスタンスに対応付けられる、
請求項1記載の方法。
【請求項７】
一又はそれ以上のプロセッサのセットにより実行される時、当該プロセッサのセットに製品をカスタマイズするオペレーションを実行させる指令を提供する、機械読み取り可能な媒体であって、前記オペレーションは、
一又はそれ以上のカスタマイズ可能な製品クラスのセットを準備することと、
一又はそれ以上のカスタマイズ可能な製品クラスの前記セットからカスタマイズ可能な製品をカスタマイズ可能な製品インスタンスとして指定する要求を受け取ることと、
一又はそれ以上のカスタマイズ可能な製品クラスの前記セットからカスタマイズ可能な製品クラスを前記カスタマイズ可能な製品インスタンスとして指定することと、
前記カスタマイズ可能な製品インスタンスに関連する、一又はそれ以上のコンポーネント製品のセットを準備することと、
一又はそれ以上のコンポーネント製品の前記セットから第一のコンポーネント製品を前記カスタマイズ可能な製品インスタンスに対応付ける要求を受け取ることと、
一又はそれ以上のコンポーネント製品の前記セットからの前記第一のコンポーネント製品を前記カスタマイズ可能な製品インスタンスに対応付けるか否かを定めることと、
を含むことを特徴とする媒体。
【請求項８】
一又はそれ以上のコンポーネント製品の前記セットからのコンポーネント製品を前記カスタマイズ可能な製品インスタンスに対応付けるか否かを定めることと、
前記第一のコンポーネント製品を前記カスタマイズ可能な製品インスタンスに対応付けることと、
をさらに含む請求項7記載の機械読み取り可能な媒体。
【請求項９】
前記第一のコンポーネント製品を対応付けるときに、第二のコンポーネント製品を前記カスタマイズ可能な製品インスタンスに対応付けるか否かを定めることと、
前記第二のコンポーネント製品を前記カスタマイズ可能な製品インスタンスに対応付けることと、
をさらに含む請求項8記載の機械読み取り可能な媒体。
【請求項１０】
前記一又はそれ以上のコンポーネント製品のセットを準備することが、各コンポーネント製品にユーザーインターフェースを提供することを含む、
請求項7記載の機械読み取り可能な媒体。
【請求項１１】
前記ユーザーインターフェースが、テーマユーザーインターフェース(UI)、制御ユーザーインターフェース(UI)、及びグループユーザーインターフェース(UI)を含む、
請求項10記載の機械読み取り可能な媒体。
【請求項１２】
製品をカスタマイズする方法であって、
一又はそれ以上のカスタマイズ可能な製品クラスのセットからカスタマイズ可能な製品クラスをカスタマイズ可能な製品インスタンスとして指定するステップと、
カスタマイズ可能な製品を作るために、前記カスタマイズ可能な製品インスタンスに関連する一又はそれ以上のコンポーネント製品のセットからコンポーネント製品を選択するステップと、
を含むことを特徴とする方法。
【請求項１３】
前記カスタマイズ可能な製品に加えるために、代替のコンポーネント製品のセットから選択するステップをさらに含み、当該選択が前記選択された第一のコンポーネント製品により定まる、
請求項12記載の方法。
【請求項１４】
前記カスタマイズ可能な製品クラスに関連する二又はそれ以上のコンポーネント製品を選択するステップ、
をさらに含む請求項12記載の方法。
【請求項１５】
カスタマイズ可能な製品を作るために、一又はそれ以上のコンポーネント製品のセットから選択するときに一又はそれ以上のコンポーネント製品が自動的に選択される、
請求項12記載の方法。
【請求項１６】
前記カスタマイズ可能な製品をデータ記憶装置に保存する、
請求項15記載の方法。
【請求項１７】
前記カスタマイズ可能な製品が価格情報を含む、
請求項15記載の方法。
【請求項１８】
前記カスタマイズ可能な製品が割引価格に備えたものである、
請求項15記載の方法。
【請求項１９】
前記カスタマイズ可能な製品が、前記カスタマイズ可能な製品の選択において消費者を誘導するためのコンポーネント製品情報を含む、
請求項15記載の方法。
【請求項２０】
前記コンポーネント製品が、個々のユーザーインターフェースに表示される、
請求項15記載の方法。
【請求項２１】
一又はそれ以上のプロセッサのセットにより実行される時、当該プロセッサのセットに製品をカスタマイズするオペレーションを実行させる指令を提供する、機械読み取り可能な媒体であって、前記オペレーションが、
一又はそれ以上のカスタマイズ可能な製品クラスのセットからカスタマイズ可能な製品クラスをカスタマイズ可能な製品インスタンスに指定することと、
カスタマイズ可能な製品を作るために、前記カスタマイズ可能な製品クラスに関連する一又はそれ以上のコンポーネント製品のセットからコンポーネント製品を選択することと、
を含むことを特徴とする媒体。
【請求項２２】
前記カスタマイズ可能な製品に加えるために、代替のコンポーネント製品のセットから選択することをさらに含み、当該選択が前記選択された第一のコンポーネント製品により定まる、
請求項21記載の機械読み取り可能な媒体。
【請求項２３】
前記カスタマイズ可能な製品が価格情報を含む、
請求項21記載の機械読み取り可能な媒体。
【請求項２４】
前記カスタマイズ可能な製品が割引価格に備えたものである、
請求項21記載の機械読み取り可能な媒体。
【請求項２５】
前記カスタマイズ可能な製品が、前記カスタマイズ可能な製品の選択において消費者を誘導するためのコンポーネント製品情報を含む、
請求項21記載の機械読み取り可能な媒体。
【請求項２６】
前記コンポーネント製品がその個々のユーザーインターフェースに表示される、
請求項21記載の機械読み取り可能な媒体。
【請求項２７】
製品をカスタマイズするための装置であって、
一又はそれ以上のカスタマイズ可能な製品クラスのセットを準備するためのロジックと、
一又はそれ以上のカスタマイズ可能な製品クラスの前記セットからカスタマイズ可能な製品をカスタマイズ可能な製品インスタンスとして指定する要求を受け取るためのロジックと、
一又はそれ以上のカスタマイズ可能な製品クラスの前記セットからカスタマイズ可能な製品クラスを前記カスタマイズ可能な製品インスタンスとして指定するためのロジックと、
前記カスタマイズ可能な製品インスタンスに関連する、一又はそれ以上のコンポーネント製品のセットを準備するためのロジックと、
一又はそれ以上のコンポーネント製品の前記セットから第一のコンポーネント製品を前記カスタマイズ可能な製品インスタンスに対応付ける要求を受け取るためのロジックと、
一又はそれ以上のコンポーネント製品の前記セットからの前記第一のコンポーネント製品を前記カスタマイズ可能な製品インスタンスに対応付けるか否かを定めるためのロジックと、
を備えることを特徴とする装置。
【請求項２８】
一又はそれ以上のコンポーネント製品の前記セットからの第一のコンポーネント製品を前記カスタマイズ可能な製品インスタンスに対応付けるか否かを定めるためのロジックと、
前記第一のコンポーネント製品を前記カスタマイズ可能な製品インスタンスに対応付けるためのロジックと、
をさらに備える請求項27記載の装置。
【請求項２９】
前記第一のコンポーネント製品を対応付けるときに、第二のコンポーネント製品を前記カスタマイズ可能な製品インスタンスに対応付けるか否かを定めるためのロジックと、
前記第二のコンポーネント製品を前記カスタマイズ可能な製品インスタンスに対応付けるためのロジックと、
をさらに備える請求項28記載の装置。
【請求項３０】
一又はそれ以上のコンポーネント製品のセットを準備するための前記ロジックが、各コンポーネント製品についてのユーザーインターフェースを提供することを含む、
請求項27記載の装置。
【請求項３１】
前記ユーザーインターフェースが、テーマユーザーインターフェース(UI)、制御ユーザーインターフェース(UI)、及びグループユーザーインターフェース(UI)を含む、
請求項30記載の装置。